【手続補正書】
【提出日】平成28年3月3日(2016.3.3)
【手続補正１】
【補正対象書類名】明細書
【補正対象項目名】００６７
【補正方法】変更
【補正の内容】
【００６７】
プロセス８００は、一定電圧で第３の時間バッテリを充電する工程をも含むことができる（ステップ８２５）。たとえば、第３の時間は図７に示される時間７３０に対応し、および一定電圧は、ＶＢＡＴ，ＥＯＣに等しくあり得る。一定電圧を達成し、例えば、一定電圧レベルを維持するために、バッテリに印可される電流は低減され得る。バッテリに蓄積される電荷が増加すると、一定電圧を維持するために要求される電流は小さくなる。いくつかの実施形態では、バッテリに印可される電流は図７に示されるように指数関数的に低減され得る。
【表２】
2015515321.tif 000001
【手続補正２】
【補正対象書類名】明細書
【補正対象項目名】００６８
【補正方法】変更
【補正の内容】
【００６８】
表２は、図７および図８に示される充電プロセスに使用される例示的な充電時間、電流、および電圧を示す。当業者には理解されるように、再充電プロファイルを決定するための電流および時間の正確な選択は、バッテリ技術および再充電ストラテジーによって異なる。たとえば、いくつかのバッテリは一定電圧で充電され得る。正確な再充電時間、最大バッテリ容量の再充電パーセンテージ、および電池寿命は所望される性能を達成するために調節されることができる。いくつかの場合には、バッテリ充電開始電圧Ｖｓｔａｒｔは、バッテリの充電状態（ＳＯＣ）または放電の深さ（ＤＯＤ）によって、上げられたり下げられたりされてもよい。（ＳＯＣはバッテリの利用可能電荷量を示し、ＤＯＤはバッテリによって消費された電荷量を示す。）
【手続補正３】
【補正対象書類名】明細書
【補正対象項目名】００７０
【補正方法】変更
【補正の内容】
【００７０】
図９は、図２に示されるバッテリ充電および電力管理モジュール２０４によって制御される２つのバッテリ１４０の放電を示すグラフである。第１のバッテリの電圧は第１の線９１０で示され、第２のバッテリの電圧は線９２０で示される。グラフで示されるように、両方のバッテリの電圧は、時間０のＶ１０で示される電圧から開始される。いくつかの実施形態では、電圧Ｖ１０は約４２００ｍＶなどの充電終了電圧に対応する。正確な充電終了電圧は、バッテリ技術およびバッテリの放電深さによって異なってもよい。充電終了電圧は、例えば、高電圧ＡＳＩＣ１３０ａのＢＧＲ回路２１８（図２）によって供給される参照電圧を使用して測定されることができる。
【手続補正４】
【補正対象書類名】特許請求の範囲
【補正対象項目名】全文
【補正方法】変更
【補正の内容】
【特許請求の範囲】
【請求項１】
第１の充電可能バッテリと、
前記第１の充電可能バッテリと動作可能に結合されるプロセッサを含み、
第１の定電流を使用して第１の時間、前記第１の充電可能バッテリを充電し、
前記第１の定電流よりも少ない第２の定電流を使用して第２の時間、前記第１の充電可能バッテリを充電し、および
一定電圧を使用して第３の時間、前記第１の充電可能バッテリを充電するように構成されるインプラント可能なデバイス。
【請求項２】
請求項１に記載のインプラント可能なデバイスであって、
前記第１の充電可能バッテリは、固体リチウムバッテリおよびリチウムイオンバッテリの少なくとも一つを含むインプラント可能なデバイス。
【請求項３】
請求項１に記載のインプラント可能なデバイスであって、
前記第１の充電可能バッテリの体積は５立方ミリメータ未満であるインプラント可能なデバイス。
【請求項４】
請求項１に記載のインプラント可能なデバイスであって、
前記プロセッサは、さらに前記第１の充電可能バッテリの電圧が第１の閾電圧を超えた場合に、前記第１の時間の終了を決定するように構成されるインプラント可能なデバイス。
【請求項５】
請求項４に記載のインプラント可能なデバイスであって、
前記プロセッサは、さらに前記第１の充電可能バッテリの電圧が第２の閾電圧を超えた場合に、前記第２の時間の終了を決定するように構成されるインプラント可能なデバイス。
【請求項６】
請求項１に記載のインプラント可能なデバイスであって、
前記第２の定電流は、実質的に前記第１の定電流の半分に等しいインプラント可能なデバイス。
【請求項７】
請求項６に記載のインプラント可能なデバイスであって、
前記第１の定電流は約４０μＡから約６０μＡであるインプラント可能なデバイス。
【請求項８】
請求項１に記載のインプラント可能なデバイスであって、
前記プロセッサは、
（ｉ）前記インプラント可能なデバイスの外部にある電力源から電力を受電し（ｉｉ）前記電力を前記第１の定電流、前記第２の定電流、および前記一定電圧に変換するように構成される電力変換モジュールをさらに含むインプラント可能なデバイス。
【請求項９】
請求項８に記載のインプラント可能なデバイスであって、
前記電力源は、無線周波数源および光源の少なくとも一つを含むインプラント可能なデバイス。
【請求項１０】
請求項１に記載のインプラント可能なデバイスであって、
前記プロセッサと動作可能に結合される第２の充電可能バッテリをさらに含み、前記プロセッサは、さらに、
第３の定電流を使用して第４の時間、前記第２の充電可能バッテリを充電し、
前記第３の定電流よりも小さい第４の定電流を使用して第５の時間、前記第２の充電可能バッテリを充電し、および
第２の定電圧を使用して第６の時間、前記第２の充電可能バッテリを充電するように構成されるインプラント可能なデバイス。
【請求項１１】
請求項１に記載のインプラント可能なデバイスであって、
前記プロセッサと動作可能に結合され、および前記インプラント可能なデバイスの少なくとも一つの光学特性を調節するように構成される電気的に活性な構成要素をさらに含むインプラント可能なデバイス。
【請求項１２】
バッテリを充電する方法であって、
第１の定電流を使用して第１の時間、充電可能バッテリを充電する工程；
前記充電可能バッテリの電圧が第１の閾値を超えることを決定する工程；
前記第１の定電流よりも少ない第２の定電流を使用して第２の時間、前記充電可能バッテリを充電する工程；
前記充電可能バッテリの電圧が第２の閾値を超えることを決定する工程；および
一定電圧を使用して第３の時間、前記充電可能バッテリを充電する工程を含む方法。
【請求項１３】
眼下用光学装置であって、
前記眼下用光学装置の光学特性の少なくとも一つを変動させるように構成される電気的に活性な構成要素と、
光レベルの変化と生理学的反応の少なくとも一つを感知することに応答して、約１００ミリ秒未満以内にセンサー信号を生成するように構成されるセンサーと、
前記センサーと動作可能に結合される第１の制御回路であって、前記センサー信号をサンプルし、前記センサー信号に応答して前記センサー信号のサンプリングから１００ミリ秒以内に駆動信号を生成するように構成される前記第１の制御回路と、
前記第１の制御回路および前記電気的に活性な構成要素と動作可能に結合される第２の制御回路であって、
（ｉ）前記駆動信号を受信し、
（ｉｉ）前記駆動信号に応答して前記眼下用光学装置の光学特性の少なくとも一つを変動させるために、低パワー状態から高パワー状態へ遷移し、前記駆動信号の受信から約５ミリ秒以内に電気的に活性な構成要素を動作させ、
（ｉｉｉ）前記第２の制御回路からの電流の漏れを最小化するために、電気的に活性な構成要素を動作させてから約５ミリ秒以内に前記高パワー状態から前記低パワー状態へ遷移するように構成される前記第２の制御回路を含む下用光学装置。
【請求項１４】
請求項１３に記載の眼下用光学装置であって、
前記第１の制御回路は、前記センサー信号を約２００ミリ秒から約３１０ミリ秒の間隔でサンプルするように構成される眼下用光学装置。
【請求項１５】
請求項１３に記載の眼下用光学装置であって、
前記第１の制御回路は、非周期的に前記センサー信号をサンプルするように構成される眼下用光学装置。
【請求項１６】
光レベルの変化と生理学的反応の少なくとも一つに応答して、眼下用光学装置の少なくとも一つの光学特性を変更する方法であって、
（Ａ）前記光レベルと前記生理学的反応の変化の少なくとも一つを感知する工程；
（Ｂ）前記光レベルと前記生理学的反応の変化の少なくとも一つを感知してから約１００ミリ秒以内にセンサー信号を生成する工程；
（Ｃ）第１の制御回路で前記センサー信号をサンプリングする工程；
（Ｄ）前記センサー信号のサンプリングから１００ミリ秒以内に前記第１の制御回路で駆動信号を生成する工程；
（Ｅ）第２の制御回路からの電流の漏れを最小化するために前記駆動信号に基づいて前記眼下用光学装置を動作させる工程；
（Ｆ）前記第２の制御回路で前記駆動信号を受信する工程；
（Ｇ）前記駆動信号に応答して、前記第２の制御回路を低パワー状態から高パワー状態へ遷移させる工程；
（Ｈ）前記駆動信号の受信から約５ミリ秒以内に前記眼下用光学装置の少なくとも一つの特性を変更させるために、前記第２の制御回路の電気的に活性な構成要素を動作させる工程；
（Ｉ）前記第２の制御回路からの電流の漏れを最小化するために、前記電気的に活性な構成要素を動作させてから約５ミリ秒以内に、前記第２の制御回路を前記高パワー状態から前記低パワー状態へ遷移させる工程を含む方法。
【請求項１７】
インプラント可能なデバイスであって、
第１の電圧を有する第１の充電可能バッテリと、
第２の電圧を有する第２の充電可能バッテリと、
前記第１の充電可能バッテリおよび前記第２の充電可能バッテリと動作可能に結合されるプロセッサを含み、
前記第１の電圧が前記第２の電圧を下回ったことを決定し、
前記第１の電圧が前記第２の電圧を下回ったという決定に応答して、放電させるべき前記第２の充電可能バッテリを選択し、
前記第２の電圧が前記第１の電圧を下回ったことを決定し、
前記第１の電圧が前記第２の電圧を下回ったという決定に応答して、放電させるべき前記第１の充電可能バッテリを選択することを反復して実施するように構成される前記プロセッサを含むインプラント可能なデバイス。
【請求項１８】
請求項１７に記載のインプラント可能なデバイスであって、
前記第１の充電可能バッテリおよび前記第２の充電可能バッテリの少なくとも一つは固体リチウムバッテリおよびリチウムイオンバッテリの少なくとも一つを備えるインプラント可能なデバイス。
【請求項１９】
請求項１７に記載のインプラント可能なデバイスであって、
前記第１の充電可能バッテリおよび前記第２の充電可能バッテリの少なくとも一つの体積は５立方ミリメータ未満であるインプラント可能なデバイス。
【請求項２０】
請求項１７に記載のインプラント可能なデバイスであって、
前記第１の電圧が第１の閾値を下回ったことを決定し、
前記第２の電圧が第２の閾値を下回ったことを決定し、および
前記第１の電圧が前記第１の閾値を下回ったことの決定および前記第２の電圧が前記第２の閾値を下回ったことの決定に応答して、前記第１の充電可能バッテリおよび前記第２の充電可能バッテリからの電力潮流を減少させるように構成される前記プロセッサをさらに含むインプラント可能なデバイス。
【請求項２１】
請求項１７に記載のインプラント可能なデバイスであって、
前記プロセッサ、前記第１の充電可能バッテリ、および前記第２の充電可能バッテリと動作可能に結合される電気的に活性な構成要素をさらに含み、
前記電気的に活性な構成要素は、前記第１の充電可能バッテリおよび前記第２の充電可能バッテリの少なくとも一つから電力が供給される場合に、前記インプラント可能なデバイスの少なくとも一つの光学特性を変動させるように構成されるインプラント可能なデバイス。
【請求項２２】
眼内レンズであって、
光レベルおよび生理学的反応の少なくとも一つを感知するように構成されるセンサーと、
前記眼内レンズの光学特性の少なくとも一つを変動させるように構成される電気的に活性な構成要素と、
前記センサーと動作可能に結合される第１の制御回路であって、センサー信号をサンプルし、前記センサー信号に応答して前記センサー信号のサンプリングから１００ミリ秒以内に駆動信号を生成するように構成される前記第１の制御回路と、
前記第１の制御回路および前記電気的に活性な構成要素と動作可能に結合される第２の制御回路であって、
（ｉ）前記駆動信号を受信し、
（ｉｉ）低パワー状態から高パワー状態へ遷移し、前記駆動信号に応答して眼下用光学装置の光学特性の少なくとも一つを変動させるために前記電気的に活性な構成要素を動作させ、
（ｉｉｉ）前記第２の制御回路からの電流の漏れを最小化するために、電気的に活性な構成要素を駆動させる前記高パワー状態から前記低パワー状態へ遷移するように構成される前記第２の制御回路と、
前記第１の制御回路および前記第２の制御回路と動作可能に結合される少なくとも一つの充電可能バッテリを含み、前記充電可能バッテリは前記第２の制御回路が前記高パワー状態である場合に第２の制御回路に電力を供給するように構成され、
（ｉ）第１の時間にわたって前記第１の制御回路によって供給される第１の定電流、
（ｉｉ）前記第１の時間後の第２の時間にわたって、前記第１の制御回路によって供給される前記第１の定電流よりも少ない第２の定電流、および
（ｉｉｉ）前記第２の時間の後に第３の時間にわたって前記第１の制御回路によって供給される一定電圧で再充電される眼内レンズ。
【請求項２３】
請求項２２に記載の眼内レンズであって、
前記少なくとも一つの充電可能バッテリは、第１の電圧を有する第１の充電可能バッテリおよび第２の電圧を有する第２の充電可能バッテリを含み、前記第１の制御回路は、
前記第１の電圧が前記第２の電圧を下回ったことを決定する工程、
前記第１の電圧が前記第２の電圧を下回ったという決定に応答して、放電させるべき前記第２の充電可能バッテリを選択する工程、
前記第２の電圧が前記第１の電圧を下回ったことを決定する工程、および
前記第１の電圧が前記第２の電圧を下回ったという決定に応答して、放電させるべき前記第１の充電可能バッテリを選択する工程を反復することによって第２の制御回路に電力を供給するようにさらに構成される眼内レンズ。